(57)【要約】  小型差動電界作動式ＵＨＦ  ＲＦＩＤデバイスが提供される。かかるデバイスは、小型で容易に製造でき、ＲＦＩＤ技術をチケット、カード、及びトークンのような物品に組み込む実行可能性を向上させる。かかるデバイスは更に、冗長ＲＦＩＤチップを物品上に配置できる程度に小型で安価とすることができ、ＲＦＩＤ対応物品の存続可能性を向上させる。かかるデバイスは更に、スマートチケット又はカードなどの物品を作製するのに使用される金属又はプラスチックの量を低減でき、リサイクル性を向上させる。
2020504401.tif 000002
【特許請求の範囲】
【請求項１】
少なくとも１つのストラップ及び少なくとも１つのカプラと、
少なくとも１対のカプラプレートと、
を備え、前記少なくとも１対のカプラプレートと前記少なくとも１つのカプラとの間に差動電界が存在する、ことを特徴とするＲＦＩＤペアリングシステム。
【請求項２】
前記差動電界は、ＲＦＩＤリーダによってもたらされる、請求項１に記載のＲＦＩＤペアリングシステム。
【請求項３】
前記差動電界は、前記少なくとも１つのストラップが前記少なくとも１対のカプラプレート及び前記少なくとも１つのカプラと接続されたときに、前記少なくとも１つのストラップを動作させる、請求項１に記載のＲＦＩＤペアリングシステム。
【請求項４】
少なくとも１つのギャップが、前記少なくとも１対のカプラプレートを切り離す、請求項１に記載のＲＦＩＤペアリングシステム。
【請求項５】
Ｘ方向及びＹ方向は、前記Ｘ方向が前記少なくとも１対のカプラプレート間の前記少なくとも１つのギャップの長さと平行であり、且つ前記Ｙ方向が前記Ｘ方向と垂直であるように設定される、請求項４に記載のＲＦＩＤペアリングシステム。
【請求項６】
前記少なくとも１つのギャップは、前記ギャップがＸ方向に伴って異なるようなある角度にある、請求項１に記載のＲＦＩＤペアリングシステム。
【請求項７】
差動電界作動式ＲＦＩＤデバイスを動作させる方法であって、
少なくとも１つのＲＦＩＤデバイスを準備する段階と、
ストラップ、カプラ、及び少なくとも１組のカプラプレートを準備する段階と、
前記ＲＦＩＤストラップが前記少なくとも１組のカプラプレート間を短絡させるように、前記少なくとも１組のカプラプレートの上に前記ストラップを配置する段階と、
前記ＲＦＩＤデバイスを読み取る段階と、
を含む方法。
【請求項８】
前記方法は更に、
前記少なくとも１つのデバイスを有する物品を準備する段階と、
前記少なくとも１組のカプラプレートの上に前記ストラップを配置した後、前記少なくとも１組のカプラプレートの上で前記ＲＦＩＤストラップをＸ方向に移動させる段階と、
を含む、請求項７に記載の方法。
【請求項９】
前記少なくとも１組のカプラプレートは、少なくとも１つの点を備え、前記ＲＦＩＤストラップは、ある軸に沿ったある特定の位置を有する、請求項７に記載の方法。
【請求項１０】
前記ストラップは、前記軸に沿って前記少なくとも１つの点に位置決めされる、請求項９に記載の方法。
【請求項１１】
前記方法は更に、前記少なくとも１つのＲＦＩＤデバイスが容量的に結合されるように、ＲＦＩＤリーダを準備する段階を含む、請求項１０に記載の方法。
【請求項１２】
前記少なくとも１組のカプラプレートは、全て同じ軸に沿って向いている、請求項７に記載の方法。
【請求項１３】
前記ストラップは、保持プレート上に配置される、請求項７に記載の方法。
【請求項１４】
少なくとも１つのストラップ及び少なくとも１つのカプラと、
少なくとも１つの金属構造物と、
を備え、前記少なくとも１つの金属構造物と前記少なくとも１つのカプラとの間に差動電界が存在する、ＲＦＩＤペアリングシステム。
【発明の詳細な説明】
【技術分野】
【０００１】
関連出願の相互参照
本出願は、２０１７年１月１１日出願の米国仮特許出願第６２／４４４，８２３号の優先権及び利益を主張するものであり、その開示内容全体は、引用により本明細書に組み込まれる。
【背景技術】
【０００２】
「スマートタグ」とも呼ばれる「スマートラベル」は、極めて平坦に構成されたトランスポンダがインレイとしてラベル内部に組み込まれた印刷コード化ラベルである。これらのトランスポンダは、典型的には、チップ、アンテナ、ボンディングワイヤを含む。
【０００３】
物流及び輸送などの多くのプロセスにおいて、「スマートラベル」又は「インテリジェントラベル」は、商品を識別し追跡することができる主要手段として、従来の光学式バーコード、並びに２Ｄバーコード、ＱＲコード（登録商標）及び同様のものに取って代わっている。このような光学コード化の自動化は、読み取りが成功するように適切な距離に制限されており、通常は、コードをスキャナの視野範囲に入れるために手動での操作を必要とする（或いは、代替的に、コード化された物体の表面全体をスキャンするスキャナゲートを使用する必要がある）。しかしながら、スマートラベルは、スキャナの見通し線内に存在することを必要とせずに離れたところから読み取ることができ、従って、自動化が容易になる。
【発明の概要】
【発明が解決しようとする課題】
【０００４】
しかしながら、スマートラベルは、幾つかの欠点を有する。例えば、スマートラベルは、光学式バーコードよりも幾らか物理的損傷を受けやすい。更に、スマートラベルは、光学式バーコードよりも使用するのに幾分費用がかかる。光学式バーコードラベルは、従来のラベルプリンタを使用して、又は標準の民生グレードのインクジェットプリンタを使用しても印刷することができるが、他方、スマートラベルは、より特殊なプリンタを用いて印刷する必要があり、印刷の障害率が幾分高い（多くの場合、約５％）。最後に、スマートラベルは、光学式バーコードラベルよりも幾分大きく邪魔になる可能性があり、スマートラベルの有用性が一部の用途に制限される。例えば、「ＲＦＩＤチケット」は通常、このチケットの大部分にまたがる大きな埋め込みアンテナを有しており、このことは、ユーザが、チケットに破損を与え、チケットを折り畳むことによって使用できなくなる危険性を生じる場合があることを意味する。
【課題を解決するための手段】
【０００５】
例示的な実施形態によれば、小型差動電界作動式ＵＨＦ  ＲＦＩＤデバイスを開示することができる。かかるデバイスは、小型で容易に製造でき、ＲＦＩＤ技術をチケット、カード、及びトークンのような物品に組み込む可能性が高まる。かかるデバイスは更に、冗長ＲＦＩＤチップを物品上に配置できる程度に小型で費用のかからないものとすることができ、ＲＦＩＤ対応物品の耐用性が高まる。かかるデバイスは更に、スマートチケット又はカードなどの物品を作製するのに使用される金属又はプラスチックの量を低減でき、再利用性が高まる。
【０００６】
本発明の実施形態の利点は、本発明の例示的な実施形態の以下の詳細な説明から明らかであろうし、この説明は、同様の符号が同様の要素を示す添付図面と併せて考慮されたい。
【図面の簡単な説明】
【０００７】
【図１】カプラとストラップとのペアリングの例示的な実施形態である。
【図２】カプラとストラップとのペアリングの例示的な実施形態である。
【図３】キャパシタンスによる結合を示す例示的な図である。
【図４】カプラの側面図の例示的な実施形態である。
【図５】カプラの側面図の例示的な実施形態である。
【図６】ＲＦＩＤデバイスの例示的な実施形態である。
【図７】チケットに追加されたＲＦＩＤデバイスの例示的な実施形態である。
【図８】ＲＦＩＤデバイスを装備するチケットの使用を示す例示的な図である。
【図９】相対的なＸ、Ｙ及びシータの向きに関係なく結合を提供する表面を有するＲＦＩＤデバイスの使用を示す例示的な図である。
【図１０】遠距離場アンテナに結合されたＲＦＩＤデバイスの例示的な実施形態である。
【発明を実施するための形態】
【０００８】
本発明の態様は、本発明の特定の実施形態を対象とする以下の説明及び関連図面に開示されている。本発明の趣旨又は範囲から逸脱することなく、代替実施形態を考案することができる。更に、本発明の例示的な実施形態の公知の要素は、本発明の関連する詳細を不明瞭にすることのないように、詳細には説明されないか又は省略される。更に、本明細書で使用される幾つかの用語の内容の説明の理解を容易にするために、以下に続く。
【０００９】
本明細書で使用される「例示的」という用語は、「例、実例、又は例証として役立つ」ことを意味する。本明細書で説明する実施形態は、限定的なものではなく、むしろ単に例示的なものである。説明する実施形態は、必ずしも他の実施形態よりも好ましい又は好都合であると解釈されるものではないことを理解されたい。更に、「本発明の実施形態」、「実施形態」、又は「本発明」という用語は、本発明の全ての実施形態が、説明する特徴、利点又は動作モードを含むことを必要とするとは限らない。
【００１０】
更に、幾つかの実施形態は、例えば、コンピューティングデバイスの要素によって実行される一連の動作に関して説明されることがある。本明細書で説明する様々な動作は、特定の回路（例えば、特定用途向け集積回路（ＡＳＩＣ））によって、１又は２以上のプロセッサにより実行されるプログラム命令によって、又はこれら両方の組み合わせによって実行できることが認識されるであろう。更に、本明細書で説明するこれらの一連の動作は、実行時、関連プロセッサに、本明細書で説明する機能を実行させる対応のコンピュータ命令セットを格納した任意の形態のコンピュータ可読記憶媒体内で完全に具体化されるとみなすことができる。従って、本発明の様々な態様は、幾つかの異なる形態で具体化でき、これらの形態の全ては、特許請求される主題の範囲内に含まれることが意図されている。加えて、本明細書で説明する実施形態の各々に関して、任意のかかる実施形態の対応する形態は、例えば、説明する動作を実行する「ように構成された論理回路」として本明細書で説明されることがある。
【００１１】
例示的な実施形態によれば、図面を全体的に参照すると、小型差動電界作動式ＵＨＦ  ＲＦＩＤデバイス（「ＲＦＩＤデバイス」）の様々な例示的な実装形態を開示することができる。また、幾つかの実施形態では、このようなＲＦＩＤデバイスは、「インターポーザ」として、又は「ＲＦＩＤストラップ」を備えるものとして言及することもできる。現在考えられる１つの実施形態では、差動電界デバイスの形態は、動作周波数で半波長の全長、すなわち、ＦＣＣ帯域で約１５２．５ｍｍを有するダイポールアンテナを利用する。本発明の１つの実施例では、全長が、動作帯域での波長の３０分の１、すなわち、約１０．２ｍｍよりも小さいデバイスが提供される。しかしながら、本適用例は、いずれの特定のサイズにも限定されない点に留意することが重要である。
【００１２】
例示的な実施形態によれば、ＲＦＩＤデバイスは、小型であり大量製造するのが容易であるように設計することができる。低コストで小型であることは、各々、チケット、カード（支払いカード又は識別カードなど）、及びトークンなどのより小型、薄型、及び／又は低コストの物品に本デバイスを組み込む可能性を高め、このような物品が、以前には可能又は実用的でなかった状況下でのＲＦＩＤ技術を装備することが可能になる。幾つかの例示的な実施形態では、信頼性が高まるように物品が複数の冗長ＲＦＩＤデバイスを装備することさえ可能であり、ＲＦＩＤデバイスのうちの１又は２以上が破損するか又は使用できないようになった場合に、この物品が依然としてＲＦＩＤリーダによって読み取られることが可能になる。
【００１３】
例示的な実施形態によれば、ＲＦＩＤデバイスが小型であることは、ＲＦＩＤデバイスを製造するのに使用される金属及びプラスチックの量を減少させるのに役立つことができる。このことは、製造には好都合であるが、ＲＦＩＤを装備した物品をより再利用可能にするのに役立つこともできる。
【００１４】
例示的な実施形態によれば、ＲＦＩＤデバイスは、５ｍｍ×１０ｍｍの概算の寸法を有することができる。別の例示的な実施形態によれば、ＲＦＩＤデバイスは、判読性を高めるためにこの寸法より大きくすること、一部の用途（より高精度のリーダを有することが実用的であり得る場合など）でこの寸法より小さくすること、又は必要に応じて何らかの他の寸法を有することができる。例示的な実施形態によれば、ＲＦＩＤデバイスのタブは、動作周波数で使用される波長のほんの一部とすることができる。
【００１５】
幾つかの例示的な実施形態によれば、ＲＦＩＤデバイスを読み取るために、ＲＦＩＤデバイスは、カプラに接続することができる。例示的な実施形態では、カプラは、例えば、２つのプレートとすること、又はこれらを含むことができ、ＲＦＩＤデバイスを動作させるように設計された差動電界が、これらのプレートの間に存在することができる。
【００１６】
ここで例示的な図１を参照すると、図１は、ＲＦＩＤストラップ１０２とカプラ１０４との間のペアリング１００の例示的な実施形態を示している。図１の例示的な実施形態では、カプラ１０４は、カプラプレート１０８などの、差動電界を生成する１又は２以上の点を有する金属構造の１又は２以上のセットを含むことができ、これらの金属構造は、ＲＦＩＤリーダ１０６に接続することができる。例示的な実施形態では、カプラプレート１０８は、互いに近くに配置することができ（これらのカプラプレートは、例えば、互いに平行又は実質的に平行に延びることができ）、これらのカプラプレートの間に配置されるギャップによって切り離すことができる。本発明は、カプラプレート１０８の利用について述べているが、本発明は、このようなものに限定されるものではなく、差動電界を生成するための、ブリッジなどの当該技術分野で公知の何らかの金属構造の利用を意図している。
【００１７】
１つの実施形態によれば、差動電界は、カプラ１０４のカプラプレート１０８間で供給することができる。このような差動電界は、例えば、ＲＦＩＤリーダ１０６によって、又は必要に応じて別のコンポーネントによって供給することができる。このような差動電界は、ＲＦＩＤストラップ１０２がカプラ１０４のカプラプレート１０８と密接に接続されたときに、ＲＦＩＤストラップ１０２を動作させるように作用することができる。
【００１８】
例示的な実施形態によれば、Ｘ方向及びＹ方向は、図１に示されているように、例えば、Ｘ方向が水平に延び、Ｙ方向が垂直に延びるように、設定することができる。図１に示されている例示的な実施形態では、Ｘ方向は、カプラプレート１０８間のギャップの長さに平行であり、Ｙ方向は、このＸ方向に垂直であるとすることができる。
【００１９】
例示的な実施形態によれば、ユーザは、ＲＦＩＤストラップ１０２がカプラプレート１０８間を短絡させるように、カプラプレート１０８の上にＲＦＩＤストラップ１０２を保持するように構成された何らかの他の物品上に位置することができるＲＦＩＤストラップ１０２を配置することによって、カプラ１０４を動作させることができる。例示的な実施形態では、ユーザは、Ｙ方向におけるＲＦＩＤストラップ１０２の変動が最小になるように、保持物品上に位置するＲＦＩＤストラップ１０２をカプラ１０４の上に配置することができる。次に、ユーザは、カプラプレート１０８の上でＲＦＩＤストラップ１０２をＸ方向に移動させるようにこの物品をＸ方向に移動することができる。例示的な実施形態において、ＲＦＩＤストラップ１０２が、カプラプレート１０８上の適切なＹ位置にあるように配置されると、このＲＦＩＤストラップは、読み取ることができる。
【００２０】
例示的な実施形態によれば、カプラ１０４に対するＲＦＩＤストラップ１０２の位置決めに有意の量の公差が存在することができる。一実施形態では、Ｘ、Ｙ、及びＺ方向の各々に有意の量の公差が存在することができ、別の例示的な実施形態では、任意の方向又は方向の任意の組み合わせでより小さい許容誤差が存在することができる。このことは、例えば、ＲＦＩＤストラップ１０２が、少なくとも幾らかのＹオフセットを有する点に位置して、依然として読み取ることができることを保証することができる。位置の公差は、ストラップパッドのサイズ、パッド、及びストラップが結合する構造に関連する。１つの実施例では、ストラップパッドは、これらが結合しているプレートより小さいとすることができ、例えば、ストラップパッドは、２ｍｍｘ２ｍｍとすることができる。１つの実施形態では、カプラパッドは、３ｍｍ×３ｍｍのサイズとすることができる。この場合、カプラパッドに対するストラップの＋／−０．５ｍｍの移動は、ストラップとカプラパッド間の重なり領域を変更せず、一定の結合を維持する。
【００２１】
ここで例示的な図２を参照すると、図２は、ＲＦＩＤリーダ２０６に接続されたカプラプレート２０８の１又は２以上のセットを含むことができる、ＲＦＩＤストラップ２０２とカプラ２０４との間のペアリング２００の別の例示的な実施形態を示している。例示的な実施形態では、カプラプレート２０８は、互いに近くに配置することができ（これらのカプラプレートは、例えば、互いに平行又は実質的に平行に延びることができ）、これらのカプラプレートの間に配置されるギャップによって切り離すことができる。
【００２２】
例示的な実施形態によれば、カプラプレート２０８の間に設けられたギャップは、Ｘ方向に平行に配置されるのではなく、このギャップがＸ方向に伴って異なるようなある角度で配置することができる。一実施形態では、このことは、ＲＦＩＤストラップ２０２がＸ方向に導入され、Ｙ方向に誤って配置された場合に、ＲＦＩＤストラップ２０２が、ストラップ２０２の両側の各々に結合する差動電界を有する領域の上を通ることを保証する。
【００２３】
また、一対のカプラプレート２０８を有するカプラ２０４は、例えば、図２に示されている２つの点、すなわち、Ｂ及びＣを備えることもできる。例示的な実施形態によれば、Ｙ軸に沿った特定の位置を有するＲＦＩＤストラップ２０２を導入することができる。Ｂでは、Ｙ軸に沿ったＲＦＩＤストラップ２０２の位置は、成功して読み取るには極めて大きいオフセットを有する場合があり、従って、ＲＦＩＤストラップ２０２は、点Ｂで読み取られない場合がある。しかしながら、点Ｃでは、Ｙ軸に沿ったＲＦＩＤストラップ２０２の位置は、カプラプレート２０８間のギャップの位置と適合することができ、従って、ＲＦＩＤストラップ２０２は、読み取り可能となり得る。
【００２４】
ここで例示的な図３を参照すると、図３は、ＲＦＩＤストラップ３０２及びＲＦＩＤカプラ３０４を使用した、キャパシタンス３００による結合のプロセスを示す例示的な図を示している。
【００２５】
適切なバックグラウンドが提供されるように、一般に、ＲＦＩＤ容量結合は、近接ＲＦＩＤ結合（すなわち、約１ｃｍ）が必要とされる短距離に使用することができる。このようなシステムは、容量効果を利用して、ＲＦＩＤタグとＲＦＩＤリーダの間の結合を提供することができる。このシステムは、例えば、ＩＳＯ  １０５３６のもとでスマートカードに使用することができる。
【００２６】
本質的に、容量結合では、ＲＦＩＤタグは、ＲＦＩＤタグとＲＦＩＤリーダの間に必要な結合が提供されるように、アンテナ又はコイルではなく電極（具体的には、コンデンサのプレート）を使用することができる。容量結合では、ＲＦＩＤタグは、ＲＦＩＤリーダの至近距離に配置することができる。ＲＦＩＤタグとＲＦＩＤリーダとの間のキャパシタンスは、信号を送信できるキャパシタを規定でき、幾つかの例示的な実施形態では、このキャパシタンスは更に、アースリターン（地帰路）を必要とすることができる。このキャパシタが確立されると、リーダが、キャパシタを介してＡＣ信号を送信して、リーダによって生成されたＡＣ信号は、ＲＦＩＤタグ内で取り込まれて整流されて、タグ内のデバイスに電力を供給するのに使用することができる。次に、データは、負荷の変調によってＲＦＩＤリーダに返すことができる。
【００２７】
従って、図３に示される例示的な実施形態によれば、微小差動電界デバイスであるＲＦＩＤストラップ３０２は、ＲＦＩＤリーダ３０６を更に有することができるカプラ３０４の結合プレート３０８に近接させることができる。例示的な実施形態によれば、次に、ＲＦＩＤリーダ３０６は、ＲＦＩＤストラップ３０２を読み取ることができる。
【００２８】
ここで例示的な図４を参照すると、図４は、カプラ４０４の側面図の例示的な実施形態を示している。例示的な実施形態によれば、カプラ４０４は、全て同じ軸に沿って向くことができる複数のカプラプレート４０８を有することができ、例えば、例示的な実施形態によれば、カプラ４０４は、上向き、下向き、又は横向きの２つのカプラプレート４０８を有することができる。
【００２９】
例示的な実施形態によれば、ユーザは、ＲＦＩＤストラップ４０２を配置することができる保持プレート４１０を挿入することができる。ＲＦＩＤストラップ４０２は、カプラプレート４０８から距離「ｄ」だけ離れた間隔をおいて配置されるようにカプラプレート４０８の上に位置決めすることができる。一実施形態では、ｄが増加するにつれて、カプラとストラップとのペアリングのキャパシタンス及び結合が減少する場合があり、このことは、幾つかの例示的な実施形態では、ＲＦＩＤストラップ４０２が、読み取られるのにカプラプレート４０８の上部に直接配置される必要があり得ることを意味する。
【００３０】
ここで例示的な図５を参照すると、図５は、カプラ５０４の側面図の例示的な実施形態を示している。別の例示的な実施形態によれば、片面のみに配置されたカプラプレート４０８を有するカプラ４０４の代わりに、カプラ５０４は、代わりに結合アパーチャ５０８を有することができる。このような実施形態では、その保持体５１０上のＲＦＩＤストラップ５０２は、Ｃ字型構造５０８のアーム部内に配置することができる。このことは、ＲＦＩＤストラップ５０２が、ただ１つではなく、２つの異なるキャパシタ（上部に１つ、その下に１つ）によってカプラ５０４に接続されることを保証する。ＲＦＩＤストラップ５０２は、距離「ｄ１」だけカプラアパーチャ５０８の上部又は第１の部分から離れることができ、距離「ｄ２」だけカプラアパーチャ５０８の底部又は第２の部分から離れることができる。「ｄ１」が増加すると、「ｄ２」は減少し、その逆も同様である。このことは、「ｄ１」及び「ｄ２」に関連する結合の全キャパシタンスが実質的に一定であることを保証することができる。
【００３１】
ここで例示的な図６を参照すると、図６は、ＲＦＩＤストラップ６０２の例示的な実施形態を示している。例示的な実施形態によれば、ＲＦＩＤストラップ６０２は、チップ６１２及び複数の取り付けパッド６１４を含むことができる。例示的な実施形態によれば、チップ６１２は、各々が同じサイズであり得る取り付けパッド６１４の間の中央に位置することができ、別の例示的な実施形態によれば、チップ６１２は、他の場所に位置することができる。
【００３２】
幾つかの例示的な実施形態によれば、ＲＦＩＤストラップ６０２は、取り付けパッド６１４を取り囲むことができる、紙、ＰＥ又はＰＥＴ基板などの基板上に印刷することができる。別の例示的な実施形態では、取り付けパッド６１４は、必要に応じて、自立型コンポーネントとすることができる。
【００３３】
例示的な実施形態によれば、ＲＦＩＤストラップ６０２は、完全に組み立てられた場合に、図６に示されるように、Ｘ方向に約１０ｍｍ、Ｙ方向に約５ｍｍ延びることができる。別の例示的な実施形態によれば、ＲＦＩＤストラップ６０２は異なるサイズとすることができる。例示的な実施形態によれば、取り付けパッド６１４は、動作周波数で使用される電波の波長のサイズのほんの一部とすることができる。
【００３４】
ここで例示的な図７を参照すると、図７は、ＲＦＩＤストラップ７０２を保持するように構成された物品７１０の例示的な実施形態を示している。例えば、例示的な実施形態によれば、物品７１０は、支払いカード又はイベントへのチケットとすることができる。例示的な実施形態では、ＲＦＩＤストラップ７０２は、物品７１０の一端上の中央に配置でき、別の例示的な実施形態では、ＲＦＩＤストラップ７０２は、物品７１０上の他の場所、又は物品７１０上の複数の位置に配置することができる。
【００３５】
ここで例示的な図８を参照すると、図８は、ＲＦＩＤストラップ８０２を保持するように構成された物品８１０の使用を明示する例示的な図を示している。物品８１０をスキャンするために、ユーザは、スロット又はアパーチャ８１８を有しておりカプラ８０４を配置できるチケット又は自動販売システム８１６に物品８１０を挿入することができる。次に、物品８１０は、カプラ８０４に結合されて、ＲＦＩＤリーダ８０６によって読み取ることができる。
【００３６】
ここで図９を参照すると、図９は、相対的なＸ、Ｙ及びシータの向きに関係なく結合を提供できる表面９０８、具体的には結合プレート９０８を有するＲＦＩＤデバイス９０２の使用を示す例示的な図を示している。例示的な実施形態によれば、表面９０８は、Ｘ、Ｙ、及びシータの全ての値に差動電界を提供でき、Ｘ、Ｙ、及びシータがどのような値であるかに関係なく、ＲＦＩＤデバイス９０２を結合できることが保証される。
【００３７】
ここで例示的な図１０を参照すると、図１０は、遠距離場アンテナ１０２０に結合されたＲＦＩＤデバイス１００２の例示的な実施形態を示している。例示的な実施形態によれば、カプラ１００４から離れた位置にＲＦＩＤリーダを配置することが望ましいとすることができる。このような例示的な実施形態によれば、遠距離場アンテナ１０２０は、代わりにカプラ１００４に接続することができる。ＲＦＩＤデバイス１００２を特徴とする物品１０１０が、適切な位置に挿入されてカプラ１００４に結合された場合に、遠隔地にあるＲＦＩＤリーダは、遠距離場アンテナ１０２０を介してＲＦＩＤデバイス１００２と通信することができる。このことは、マシン又はチケット読み取り設備内部のリーダ構造の配置に対するより高い柔軟性を可能にすることができる。
【００３８】
前述の説明及び添付図面は、本発明の原理、好ましい実施形態、及び動作モードを示している。しかしながら、本発明は、上述の特定の実施形態に限定されるものではないと解釈されたい。上述の実施形態の更なる変形形態は、当業者には理解されるであろう（例えば、本発明の特定の構成に関連する特徴は、代わりに、必要に応じて本発明の何らかの他の構成に関連することができる）。
【００３９】
従って、上述の実施形態は、限定的なものではなく例示的なものとみなすべきである。従って、以下の特許請求の範囲によって定まる本発明の範囲から逸脱することなく、当業者はこれらの実施形態の変形を行うことができることを理解されたい。
【図１】
2020504401.tif 000003
【図２】
2020504401.tif 000004
【図３】
2020504401.tif 000005
【図４】
2020504401.tif 000006
【図５】
2020504401.tif 000007
【図６】
2020504401.tif 000008
【図７】
2020504401.tif 000009
【図８】
2020504401.tif 000010
【図９】
2020504401.tif 000011
【図１０】
2020504401.tif 000012
【国際調査報告】
2020504401.tif 000013
2020504401.tif 000014